(57)【要約】【課題】地中掘削量と場外搬出土量を削減して躯体の施工コストの低減と工期の短縮を図れる基礎の施工方法を提供する。【解決手段】地盤改良し、次いで地盤改良土３を掘削して、当該地盤改良土３の掘削面を型枠とするコンクリート打設部分８，９を形成し、コンクリート打設部分８，９に鉄筋１１，１２を配置し、しかる後にコンクリート打設部分８，９にコンクリートを打設する。地盤改良では、セメント系固化材を用いる。地盤改良土３を掘削した後、地耐力を計測する工程を含む。【選択図】図３
2005299387.tif 000002
【特許請求の範囲】
【請求項１】
地盤改良し、
次いで該地盤改良土を掘削して、当該地盤改良土の掘削面を型枠とするコンクリート打設部分を形成し、
該コンクリート打設部分に鉄筋を配置し、
しかる後に上記コンクリート打設部分にコンクリートを打設する
ことを特徴とする基礎の施工方法。
【請求項２】
地盤改良では、セメント系固化材を用いることを特徴とする請求項１に記載の基礎の施工方法。
【請求項３】
地盤改良土を掘削した後、地耐力を計測する工程を含むことを特徴とする請求項１または２に記載の基礎の施工方法。
【発明の詳細な説明】
【技術分野】
【０００１】
本発明は、基礎の施工方法に関し、特に施工時の地中掘削量や場外搬出土量を低減することで構造物躯体の施工コストの低減と工期の短縮を図る基礎の施工方法に関する。
に関する。
【背景技術】
【０００２】
建築構造物、特に低層の構造物の場合には、建物重量が軽いことから地耐力の低い地盤に建設する場合にべた基礎を用いることが多くなっている。
【０００３】
べた基礎の構造は、図４に示すように、最下階のスラブ２０の他に支持地盤２の上に耐圧版２１を設けることが一般的であり、結果的には、基礎梁２２の上下に二重のスラブを設ける構造になっている。
【０００４】
又、このような二重スラブ構造を避けるために、図５のように基礎梁２４を偏平にして、梁のないスラブ形式も考慮されてきたが、いずれの工法においても、地中掘削量と場外に搬出する土量が大量に増加することになり、環境問題や廃棄物の増大を止むなくして、低層構造物にあっては躯体を構築する際のコストを低減できないという問題点が指摘されていた。
【０００５】
さらに、二重スラブ構造を避ける目的で基礎梁の上部にのみスラブを配置する図６のようなべた基礎２５の構築も検討されてきたが、基礎梁２６及びスラブ２７の施工に際して耐圧版の下方の地盤２８を乱すことになって、所定の地耐力を確保することが困難になるという品質上の問題を提起していた。
【発明の開示】
【発明が解決しようとする課題】
【０００６】
本発明は、以上の状況に鑑みて、その問題点を解消して低層構造物を低コストに構築することを目的に提案するものであり、地中掘削量と場外搬出土量を削減して躯体の施工コストの低減と工期の短縮を図れる基礎の施工方法を提供している。
【課題を解決するための手段】
【０００７】
本発明による基礎の施工方法は、地盤改良し、次いで該地盤改良土を掘削して、当該地盤改良土の掘削面を型枠とするコンクリート打設部分を形成し、該コンクリート打設部分に鉄筋を配置し、しかる後に上記コンクリート打設部分にコンクリートを打設することを特徴としている。
【０００８】
これによって、本発明による基礎の施工方法は、所定の地耐力を確保しながら、地中掘削量と場外搬出土量を削減して廃棄物対策等の環境問題に対処すると共に、躯体の施工コストを低減して工期も短縮している。
【０００９】
地盤改良では、セメント系固化材を用いることが好ましい。また、地盤改良土を掘削した後、地耐力を計測する工程を含むことが好ましい。
【発明の効果】
【００１０】
本発明による基礎の施工方法は、地盤改良し、次いで該地盤改良土を掘削して、当該地盤改良土の掘削面を型枠とするコンクリート打設部分を形成し、該コンクリート打設部分に鉄筋を配置し、しかる後に上記コンクリート打設部分にコンクリートを打設することを特徴としているので、所定の地耐力を確保しながら、地中掘削量と場外搬出土量を削減すると共に躯体の施工コストを低減して工期も短縮できる効果を発揮している。
【発明を実施するための最良の形態】
【００１１】
本発明による基礎の施工方法によって構築される基礎構造は、構築される構造物を支える地盤に形成されて支持地盤に到る地盤改良土、地盤改良土中に構造物の柱部と柱部を連結する基礎梁及び基礎梁と天端を一致させて一体に設けるべた基礎耐圧版で構成するものであり、所定の地耐力を確保しながら構造を簡潔にしている。
【００１２】
以下に、当該基礎構造を図面に基づいて詳細に説明する。
【００１３】
図１は、基礎構造を示しており、構造物の最下階の平断面図（ａ）と最下階の形態のみを示す側面図（ｂ）である。
【００１４】
建築物の基礎１は、支持地盤２の上に形成される地盤改良土３の中に構築されている。
【００１５】
地盤改良土３の範囲は、図示のように基礎梁外郭線より基礎梁成の１／２に相当する程度に拡大させており、支持地盤に到達する地表面下の軟弱地盤を地盤改良している。
【００１６】
基礎１は、図１（ａ）に示すように柱４間を結合する周辺に基礎梁５を配置しており、所定の小梁６を適宜に配置させてべた基礎耐圧版７と共に構築されている。
【００１７】
従って、図１（ｂ）に示す側面図では、図示のように支持地盤２の上に形成される地盤改良土３の中に、建物の基礎梁５と天端を一致させているべた基礎耐圧版７とが表示されており、建物の垂直荷重及び地震等による水平力は、支持地盤２と同等の地耐力を発揮する地盤改良土３と基礎梁５及びべた基礎耐圧版７によって確実に支持されている。
【００１８】
地盤改良土３と基礎梁５及びべた基礎耐圧版７の詳細は、図２の部分拡大図において示されているように、地盤改良土３は、支持地盤２の上に基礎梁外郭線より拡大させて形成している。
【００１９】
基礎梁５とべた基礎耐圧版７とは、地盤改良土３の中とその表面に天端を一致させた面一状態に形成されており、所要の地耐力を発揮する地盤改良土３と一体化して耐圧版直下の地盤及び周辺の地盤を乱すことなく構築されている。
【００２０】
尚、基礎梁５の側面には、型枠を配置してコンクリートを打設しているが、追って説明するように、この型枠は状況に合わせて省略できるものであり、その際には、基礎梁５とべた基礎耐圧版７との形状も図示のものと異なってくる。
【００２１】
以上のように、構造物の基礎構造は、地盤改良土、基礎梁及びべた基礎耐圧版とを一体に構築しているので、二重スラブ形式のべた基礎と比較して、所望の支持耐力を確保しながら地盤の掘削量を減量し、場外に搬出する土量を大幅に低減して、使用コンクリート量も低減していることで、基盤の施工コストや工期を大幅に縮小させている。
【００２２】
次に、上述した構造物の基礎構造を施工する方法について詳細に説明する。本実施形態による基礎の施工方法は、支持地盤上の軟弱地盤を地盤改良し、次いで地盤改良土を掘削して柱部と基礎梁及びべた基礎耐圧版のコンクリート打設部分を形成して、コンクリート打設部分に柱鉄筋、基礎梁の鉄筋及び基礎梁の鉄筋と天端を一致させたべた基礎耐圧版の鉄筋を配置し、しかる後にコンクリート打設部分にコンクリートを一体に打設することで構成している。
【００２３】
以下に、構造物の基礎構造における実施の形態を図面に基づいて詳細に説明する。
【００２４】
図３は、本実施形態による施工方法を工程順に表示している。図３（ａ）は、地盤改良土３の施工工程であり、支持地盤２の上の軟弱地盤を所定の工法によって地盤改良している。
【００２５】
地盤改良土３の施工範囲は、基礎梁外郭線より基礎梁成の１／２に相当する程度に拡大させるだけであり、周辺の地盤を乱すことなく、地中掘削量と場外搬出土量を削減して廃棄物対策等の環境問題を回避している。
【００２６】
図３（ｂ）は、地盤改良土を掘削して柱部と基礎梁及びべた基礎耐圧版との施工位置を形成する工程を示している。
【００２７】
本工程では、地盤改良土３の中に柱部、基礎梁及びべた基礎耐圧版の配置部分を形成するために、所定の掘削施工が行われる。
【００２８】
掘削施工は、改良後の地盤を乱さないように慎重に施工されるものであり、べた基礎耐圧版の配置部分８の平面掘と基礎梁の配置部分９の筋堀とが行われる。
【００２９】
図３（ｃ）は、掘削後の地盤改良土の地耐力を計測する工程を示している。本実施の形態の地盤改良土３は、支持地盤２上の軟弱地盤に対してセメント系固化材を用いた浅層混合処理工法によって地盤改良している。
【００３０】
固化材の配合条件は、軟弱地盤土の土質条件と施工条件を勘案して所定の一軸圧縮強度（Ｎ／ｍ2）を確保できるように固化材の添加量を選択しているが、次工程に移る前に、べた基礎耐圧版の配置部分８における地耐力を確認するために平板載荷試験１０を行っている。
【００３１】
掘削後の地盤改良土３が、所定の地耐力を発揮していることを確認した上で、図３（ｄ）に示すように基礎梁、柱及びべた基礎耐圧版の配筋を施工している。
【００３２】
基礎梁の配筋１１とべた基礎耐圧版の配筋１２は、柱の配筋１３と同時に施工されるが、コンクリート打設後の基礎梁３の天端とべた基礎耐圧版７の天端とが一致されるように、それぞれの鉄筋が配置されている。
【００３３】
図３（ｅ）は、基礎梁とべた基礎耐圧版へのコンクリート打設の工程を示している。
【００３４】
従来におけるコンクリートの打設は、図４に示す例のように基礎梁の配筋１１とべた基礎耐圧版の配筋１２とに個別に型枠を配置し、しかる後にそれぞれのコンクリートを打設していたが、本実施の形態では、基礎梁の側面とべた基礎耐圧版の下側の型枠を省略している。
【００３５】
本実施の形態におけるコンクリートの打設は、基礎梁の配筋１１とべた基礎耐圧版の配筋１２とが上述のように両方の天端が一致する一致状態に施工されているので、基礎梁とべた基礎耐圧版へのコンクリートの打設を１回打設で面一に施工して、コンクリートの打設工程を完了している。
【００３６】
本実施形態による基礎の施工方法は、以上のように構成されているので、地盤の地耐力を所定の値に確保するように施工しながら、地中掘削量と場外搬出土量を削減して廃棄物対策等の環境問題に対処すると共に、基礎梁側面の型枠を削減し、コンクリートの打設回数を低減することで、躯体の施工コストの低減と工期の短縮を確立できるものである。
【００３７】
以上、本発明を実施の形態に基づいて詳細に説明してきたが、本発明による基礎の施工方法は、上記実施の形態に何ら限定されるものでなく、本発明の趣旨を逸脱しない範囲において、出願時に公知のものを適用して種々の変更が可能であることは当然のことである。
【００３８】
上記構造物の基礎構造は、構築される構造物を支える地盤に形成されて支持地盤に到る地盤改良土、該地盤改良土中に構造物の柱部と該柱部を連結する基礎梁及び該基礎梁と天端を一致させて一体に設けるべた基礎耐圧版で構成しているので、所定の地耐力を確保しながら、地中掘削量と場外搬出土量を削減すると共に躯体の施工コストを低減して工期も短縮できる効果を発揮している。
【００３９】
本実施形態による基礎の施工方法は、上記構造物の基礎構造を施工する方法であって、地盤改良し、次いで該地盤改良土を掘削して、当該地盤改良土の掘削面を型枠とするコンクリート打設部分を形成し、該コンクリート打設部分に鉄筋を配置し、しかる後に上記コンクリート打設部分にコンクリートを打設することを特徴としているので、以下の効果を発揮している。
【００４０】
（１）地盤改良土の地耐力を所定の値に確保できる。
（２）地中掘削量と場外搬出土量を削減して廃棄物対策等の環境問題を回避できる。
（３）基礎梁側面の型枠を削減し、コンクリートの打設回数を低減して躯体の施工コストを低減し工期を短縮できる。
【図面の簡単な説明】
【００４１】
【図１】本発明による基礎の施工方法で構築される構造物の基礎構造を示す平断面図（ａ）と側面図（ｂ）
【図２】本発明による基礎の施工方法で構築される構造物の基礎構造の部分拡大図
【図３】本発明による基礎の施工方法を示す施工工程図
【図４】従来のべた基礎構造図
【図５】従来の他のべた基礎構造図
【図６】従来の他のべた基礎構造図
【符号の説明】
【００４２】
１基礎、２支持地盤、３地盤改良土、４柱、５基礎梁、６小梁、７べた基礎耐圧版、８べた基礎耐圧版の配置部分、９基礎梁の配置部分、１０平板載荷試験、１１基礎梁の配筋、１２べた基礎耐圧版の配筋、１３柱の配筋、２０、２７最下階のスラブ、２１耐圧版、２２、２４、２６基礎梁、２３、２５基礎、２８地盤
【図１】
2005299387.tif 000003
【図２】
2005299387.tif 000004
【図３】
2005299387.tif 000005
【図４】
2005299387.tif 000006
【図５】
2005299387.tif 000007
【図６】
2005299387.tif 000008